(57)【要約】【課題】複数の画像の表示形態を変更する操作を簡易に行うことのできる画像処理プログラムおよび画像処理装置を提供する。【解決手段】ＣＰＵは、タッチパネルの指示に応じて、ディスプレイパネルに表示された画像が特定された場合（Ｓ１０：Ｙｅｓ）、タッチされた指示点の数を検知する処理を実行する（Ｓ１２）。そして、ＣＰＵ１２は、指示点の数が「１」であると判断する場合（Ｓ１４：Ｙｅｓ）、一対の画像を入れ替えるＲｅｐｌａｃｅ処理であると判断する（Ｓ１６）。また、指示点の数が「２」であると判断する場合（Ｓ１６：Ｙｅｓ）、複数の画像を１の印刷用紙に印刷するＭｅｒｇｅ処理であると判断する（Ｓ１８）。また、ＣＰＵは、指示点の数が「３」であると判断する場合（Ｓ２０：Ｙｅｓ）、隣接する一対の画像間に別の画像を挿入するＩｎｓｅｒｔ処理であると判断する（Ｓ２２）。【選択図】  図３
2015026096.tif 000002
【特許請求の範囲】
【請求項１】
表示部と、該表示部の表示領域のうち指示された箇所を検知するタッチパネルとを備える画像処理装置に適用され、該画像処理装置のコンピュータによって実行される画像処理プログラムにおいて、
前記表示領域に複数の画像を表示する第１表示手段と、
前記複数の画像の表示形態を変更する処理であって且つ、互いに相違する複数の処理を選択的に実行する形態変更手段と、
前記複数の画像が表示された状態で、前記タッチパネル上の指示点に基づき、前記複数の画像のうちいずれかを特定する画像特定手段と、
前記複数の画像が表示された状態で、前記タッチパネル上の指示点の数をカウントするカウント手段と、
前記カウントされた指示点の数に基づき、前記変更する処理のうちのいずれかを特定する処理特定手段とを前記コンピュータに実行させ、
前記形態変更手段は、前記画像特定手段によって特定された画像を対象に前記処理特定手段によって特定された処理を実行することを特徴とする画像処理プログラム。
【請求項２】
前記形態変更手段は、前記画像特定手段によって画像が特定された後の前記指示点の移動先に基づき、前記変更する処理を実行するものであって且つ、前記処理特定手段によって処理が特定されたことを条件として、前記表示部に、前記特定された処理に特有の表示を実行する第２表示手段を備えることを特徴とする請求項１記載の画像処理プログラム。
【請求項３】
前記第２表示手段は、前記特定された処理がいずれであるかを通知するための表示を行うことを特徴とする請求項２記載の画像処理プログラム。
【請求項４】
前記第２表示手段は、前記特定された処理を実行するうえで要求される操作をユーザが実行するよう支援するための表示を行うことを特徴とする請求項２または３記載の画像処理プログラム。
【請求項５】
前記形態変更手段は、前記画像特定手段によって画像が特定された後の前記指示点の移動先に基づき、前記変更する処理を実行するものであって且つ、前記処理特定手段による前記処理の特定の後、前記指示点が前記移動先に変位するに伴って前記カウントされる指示点の数が変化する場合であっても、該指示点の数が「０」とならないことを条件に、前記変化する前に前記処理特定手段によって特定された処理を実行することを特徴とする請求項１から４のいずれか１項に記載の画像処理プログラム。
【請求項６】
前記処理特定手段は、前記カウントされる指示点の数よりも少ない数の指示点が前記複数の画像の表示領域のいずれかにある場合であっても、前記カウントされる指示点の数に基づき、前記変更する処理を特定することを特徴とする請求項１から５のいずれか１項に記載の画像処理プログラム。
【請求項７】
前記表示形態を変更する処理は、前記複数の画像のレイアウトを変更する処理であることを特徴とする請求項１から６のいずれか１項に記載の画像処理プログラム。
【請求項８】
前記形態変更手段によって実行される前記変更する処理には、前記複数の画像のうちの隣接する一対の画像の間に他の画像を表示すべく、前記一対の画像および他の画像の表示領域をずらすインサート処理、前記複数の画像の任意の２つの画像の表示領域を入れ替えるリプレイス処理、および前記複数の画像のうちの２以上の所定数の画像を１の印刷用紙に印刷する旨を表示をするマージ処理、のうちの少なくとも２つの処理が含まれることを特徴とする請求項１から７のいずれか１項に記載の画像処理プログラム。
【請求項９】
前記変更する処理には、前記マージ処理が含まれ、
前記処理特定手段は、前記画像特定手段によって画像が特定された時点で前記カウントされる指示点の数が１よりも大きい規定数である場合、前記マージ処理であると特定するものであり、
前記形態変更手段は、前記画像特定手段によって画像の特定に利用された前記指示点が移動することで前記画像特定手段によって別の画像が特定される場合、前記マージ処理として、前記指示点の移動前に特定された画像と前記指示点の移動後に特定された画像とを１の印刷用紙に印刷する旨を表示することを特徴とする請求項８記載の画像処理プログラム。
【請求項１０】
前記変更する処理には、前記マージ処理が含まれ、
前記処理特定手段は、前記画像特定手段によって画像が特定された時点で前記カウントされる指示点の数が１よりも大きい場合、前記マージ処理であると特定するものであって且つ、前記カウントされる指示点の数に応じて、前記１の印刷用紙に印刷する画像の数である前記所定数を特定する所定数特定手段を備えることを特徴とする請求項８記載の画像処理プログラム。
【請求項１１】
前記処理特定手段は、前記画像特定手段によって画像が特定された時点において前記カウント手段によってカウントされた指示点の数に基づき、前記変更する処理を特定する請求項１から１０のいずれか１項に記載の画像処理プログラム。
【請求項１２】
前記指示点の数が複数である場合、該指示点の移動状態に基づき、表示されている画像の拡大および縮小のいずれかを指示するものであるか否かを判断する判断手段と、
該判断手段によって前記いずれかを指示するものであると判断される場合、前記処理特定手段によって特定された処理をキャンセルするキャンセル手段とを、前記コンピュータに実行させることを特徴とする請求項１から１１のいずれか１項に記載の画像処理プログラム。
【請求項１３】
表示部と、該表示部の表示領域のうち指示された箇所を検知するタッチパネルとを備える画像処理装置において、
請求項１から１２のいずれか１項に記載の画像処理プログラムによるソフトウェア処理によって実行されるか否かにかかわらず、請求項１から１２のいずれか１項に記載の画像処理プログラムによって前記コンピュータが実行する対象となる各手段を備える画像処理装置。
【発明の詳細な説明】
【技術分野】
【０００１】
本発明は、画像処理プログラムおよび画像処理装置に関し、特に複数の画像を表示する画像処理プログラムおよび画像処理装置に関する。
【背景技術】
【０００２】
例えば下記特許文献１にみられるように、タッチパネルが重ねられた表示部に複数の画像が表示された状態で、メニュー選択ボタンによって並べ替えメニューを選択した後、並べ替えの対象となる画像を指で指定することが可能なものが提案されている。
【先行技術文献】
【特許文献】
【０００３】
【特許文献１】特開２００４−２８２４３９号公報
【発明の概要】
【発明が解決しようとする課題】
【０００４】
上記の場合、並べ替えの対象とする画像を指示する操作を、指での直感的な操作で行うことができるものの、これに先立ち、並べ替えメニューを選択する必要が生じるという問題点があった。
【０００５】
本発明は、上記問題点を解決するためになされたものであり、その目的は、複数の画像の表示形態を変更する操作を簡易に行うことのできる画像処理プログラムおよび画像処理装置を提供することにある。
【課題を解決するための手段】
【０００６】
この目的を達成するために、本発明は、表示部と、該表示部の表示領域のうち指示された箇所を検知するタッチパネルとを備える画像処理装置に適用され、該画像処理装置のコンピュータによって実行される画像処理プログラムにおいて、前記表示領域に複数の画像を表示する第１表示手段と、前記複数の画像の表示形態を変更する処理であって且つ、互いに相違する複数の処理を選択的に実行する形態変更手段と、前記複数の画像が表示された状態で、前記タッチパネル上の指示点に基づき、前記複数の画像のうちいずれかを特定する画像特定手段と、前記複数の画像が表示された状態で、前記タッチパネル上の指示点の数をカウントするカウント手段と、前記カウントされた指示点の数に基づき、前記変更する処理のうちのいずれかを特定する処理特定手段とを前記コンピュータに実行させ、前記形態変更手段は、前記処理特定手段の特定結果に基づき、前記画像特定手段によって特定された画像を対象に前記処理特定手段によって特定された処理を実行することを特徴とする。
【発明の効果】
【０００７】
請求項１記載の画像処理プログラムでは、第１表示手段によって表示された複数の画像の表示形態を変更する処理が、形態変更手段によって実行される。これは、タッチパネル上の指示点に基づき画像特定手段によって特定された画像に基づき実行される。ところで、変更する処理は複数存在するため、ユーザによっていずれの処理が選択されたかをいかに特定するかが問題となる。そこで、カウント手段によってカウントされるタッチパネル上の指示点の数に基づいて、処理特定手段によっていずれの処理であるかを特定する。これにより、複数の画像の表示形態を変更する操作をユーザが簡易に行うことができる。
【０００８】
請求項２記載の画像処理プログラムでは、処理特定手段によっていずれの処理であるかが特定されることを条件に、特定された処理に特有の表示を第２表示手段が実行する。これにより、請求項１記載の画像処理プログラムの効果に加えて、特定された処理をユーザに通知したり、特定された処理を実行するうえで要求される操作をユーザが実行するよう支援することができるという効果を奏する。
【０００９】
請求項３記載の画像処理プログラムでは、特定された処理がいずれであるかを通知する表示を第２表示手段が行うため、請求項２記載の画像処理プログラムの効果のうち、特に、特定された処理をユーザに通知することができるという効果を奏する。
【００１０】
請求項４記載の画像処理プログラムでは、特定された処理を実行するうえで要求される操作をユーザが実行するよう支援するための表示を第２表示手段が行う。このため、請求項２記載の画像処理プログラムの効果のうち、特に、特定された処理を実行するうえで要求される操作をユーザが容易に実行することができるという効果を奏する。
【００１１】
請求項５記載の画像処理プログラムでは、指示点を移動させる際に、画像を特定する際と同一数の指示点を維持することを条件としたのでは、操作性が低下する懸念があることに着目する。この点に鑑み、複数の変更する処理のいずれであるかが指示点の数によって特定された後には、指示点の移動に伴って指示点の数が変化したとしても、指示点の数が「０」とならないことを条件に、すでに特定されている処理を実行する。これにより、請求項１から４のいずれか１項に記載の画像処理プログラムの効果に加えて、ユーザが指示点を移動させることで変更する処理を実行するものにあって、ユーザによる操作性を高く維持することができるという効果を奏する。
【００１２】
請求項６記載の画像処理プログラムでは、複数の変更する処理のいずれかを特定するためにタッチパネル上に指示された指示点の全てが特定すべき画像上に位置する制約を設ける場合には、操作性が低下する懸念があることに着目する。この点に鑑み、処理を特定するための指示点の全てが画像の表示領域になくてもよいこととすることで、請求項１から５のいずれか１項に記載の画像処理プログラムの効果に加えて、操作性を高く維持することができるという効果を奏する。
【００１３】
請求項７記載の画像処理プログラムでは、表示形態を変更する処理を複数の画像のレイアウトを変更する処理とする。これにより、請求項１から６のいずれか１項に記載の画像処理プログラムの効果に加えて、レイアウトを変更する処理をユーザが簡易な操作で指示することができるという効果を奏する。
【００１４】
請求項８記載の画像処理プログラムでは、複数の変更する処理として、インサート処理、リプレイス処理、およびマージ処理のうちの少なくとも２つを含む。このため、請求項７記載の画像処理プログラムの効果に加えて、上記少なくとも２つの処理をユーザが簡易な操作で指示することができるという効果を奏する。
【００１５】
請求項９記載の画像処理プログラムでは、移動前における指示点の数が１よりも大きい規定数である場合に、「２ｉｎ１」，「４ｉｎ１」等に例示されるマージ処理であるとする。このため、請求項８記載の画像処理プログラムの効果に加えて、マージ処理を特定するための操作とマージ処理とを直感的に結び付けることができるという効果を奏する。
【００１６】
請求項１０記載の画像処理プログラムでは、所定数特定手段を備えて、指示点の数に応じて１の印刷用紙に印刷する画像の数を特定することで、請求項８記載の画像処理プログラムの効果に加えて、予めいくつの画像を１の印刷用紙に印刷するかを指定することができるという効果を奏する。
【００１７】
請求項１１記載の画像処理プログラムでは、画像特定手段によって画像が特定された時点においてカウントされた指示点の数に基づき変更する処理を特定する。このため、請求項１から１０のいずれか１項に記載の画像処理プログラムの効果に加えて、画像を指定する操作と、変更する処理のいずれであるかを指定する操作とを１の操作によって実行することができるという効果を奏する。
【００１８】
請求項１２記載の画像処理プログラムでは、表示されている画像の拡大および縮小のいずれかを指示するものであると判断手段によって判断される場合、キャンセル手段によって、特定された処理をキャンセルする。このため、請求項１から１０のいずれか１項に記載の画像処理プログラムの効果に加えて、処理特定手段によって特定された処理が、ユーザの意図するものではない場合、これを改めることができるという効果を奏する。
【００１９】
請求項１３記載の画像処理プログラムでは、請求項１から１２の画像処理プログラムを備えるか否かにかかわらず、同プログラムによってコンピュータが実行することで得られる効果を得ることができる。
【図面の簡単な説明】
【００２０】
【図１】第１の実施形態にかかるタブレット端末の構成を示すブロック図。
【図２】印刷プレビュー画面を例示する平面図。
【図３】画像データの出力態様の変更処理の手順を示すフローチャート。
【図４】Ｒｅｐｌａｃｅ処理の手順を示すフローチャート。
【図５】Ｒｅｐｌａｃｅ処理を例示する平面図。
【図６】Ｍｅｒｇｅ処理の手順を示すフローチャート。
【図７】Ｍｅｒｇｅ処理を例示する平面図。
【図８】Ｉｎｓｅｒｔ処理の手順を示すフローチャート。
【図９】Ｉｎｓｅｒｔ処理を例示する平面図。
【図１０】第２の実施形態におけるＭｅｒｇｅ処理を例示する図。
【図１１】Ｍｅｒｇｅ処理を例示する図。
【発明を実施するための形態】
【００２１】
＜第１の実施形態＞
以下、本発明にかかる第１の実施形態について、図面を参照しつつ説明する。
【００２２】
図１に、本実施形態にかかるタブレット端末１０の構成を示す。図示されるように、タブレット端末１０は、ＣＰＵ１２、フラッシュメモリ１４、ＲＡＭ１６、無線ＬＡＮ送受信部１８、ディスプレイパネル２０、タッチパネル２２、および入出力ポート２３を備えている。ここで、ＣＰＵ１２、フラッシュメモリ１４、ＲＡＭ１６、無線ＬＡＮ送受信部１８、ディスプレイパネル２０、およびタッチパネル２２は、入出力ポート２３によって互いに通信可能とされている。
【００２３】
フラッシュメモリ１４は、不揮発性のメモリであり、画像処理プログラム１４ａを記憶している。ＣＰＵ１２は、画像処理プログラム１４ａに従って、入出力ポート２３を介して各部を制御する。ＲＡＭ１６は、揮発性のメモリであり、ＣＰＵ１２が演算処理を行う際に演算対象となるデータを一時的に記憶する。無線ＬＡＮ送受信部１８は、ＩＥＥＥ８０２．１１ｂ／ｇの規格に準拠した無線ＬＡＮにより、中継装置であるアクセスポイント（図示略）を介して、タブレット端末１０と、プリンタなどの各種デバイス（図示略）とを通信可能に接続する。ディスプレイパネル２０は、各種画面を表示する表示装置であり、例えばＬＣＤやＬＥＤを備えて構成されている。タッチパネル２２は、ディスプレイパネル２０に重ねて設けられ、指や棒などの指示体が接触または接近されたタッチパネル２２上の位置を示す指示点情報をＣＰＵ１２に入力するインターフェースである。ＣＰＵ１２は、入力された指示点情報に基づいて、ディスプレイパネル２０上に表示している画像などのオブジェクトを特定する。以下、指示体によるタッチパネル２２への接触または接近を、指示体によるタッチパネル２２へのタッチと称することがある。
【００２４】
本実施形態では、フラッシュメモリ１４やＲＡＭ１６に複数の画像データを含むファイルが保存可能とされる。それらファイル内の画像データが、無線ＬＡＮ送受信部１８を介して外部のプリンタに送信され、プリンタで画像データが表現する画像を印刷することが可能となっている。この際、画像処理プログラム１４ａは、ユーザの指示に応じて、印刷対象となる画像を表現する画像データを、プリンタに送信する処理を実行する。
【００２５】
また、画像処理プログラム１４ａは、図２に示すプレビュー画面に印刷プレビュー画像が表示された状態で、ユーザからの指示に応じてプリンタへの画像データの出力態様を設定する処理を行う。ここで、プレビュー画面は、ユーザが印刷対象の画像を選択し、画像処理プログラム１４ａを起動すると表示される画面であり、印刷用紙に対応する矩形領域である用紙オブジェクト３２内に画像３０（３０ａ〜３０ｅ）が配置された印刷プレビュー画像３４が表示される。印刷プレビュー画像３４は、ユーザが選択した画像の数と、そのとき設定されているレイアウト印刷とに応じた数だけ生成される。ここで、レイアウト印刷とは、１の印刷用紙にＮ（＞１）枚の画像を印刷すること、すなわちいわゆる「Ｎｉｎ１」印刷のことである。図３では、プレビュー画面において、画像３０ａ，３０ｂについては１の印刷用紙に印刷する「２ｉｎ１」印刷を行うとして、１の用紙オブジェクト３２内に画像３０ａ，３０ｂが配置された印刷プレビュー画像３４が示されている。これに対し、画像３０ｃ，３０ｄ，３０ｅのそれぞれについては、１の印刷用紙に印刷する「１ｉｎ１」印刷を行うとして、各別の用紙オブジェクト３２のそれぞれに配置された各別の印刷プレビュー画像３４が表示されている。なお、図２では、印刷プレビュー画像３４が４個表示されているが、これは印刷プレビュー画像３４が全部で４個であることを意味せず、タッチパネル２２に対するフリック操作によってプレビュー画面をシフトすることで５個目以降の印刷プレビュー画像３４が表示されることもありうる。
【００２６】
図２に示すプレビュー画面では、まず初めに画像３０ａ，３０ｂが１の印刷用紙に印刷され、続いて、画像３０ｃ，３０ｄ，３０ｅのそれぞれが、順に、各別の印刷用紙に印刷される設定がなされていることを示している。この設定は、プリンタへの画像データの出力態様を変更するいくつかの変更処理によって変更が可能である。
【００２７】
図３に、本実施形態にかかるプリンタへの画像データの出力態様の変更処理の手順を示す。この処理は、ＣＰＵ１２によって、画像処理プログラム１４ａが実行されることで実現される。
【００２８】
この一連の処理では、ＣＰＵ１２は、まずステップＳ１０において、タッチパネル２２により指示体によるタッチが検出され且つ、そのタッチが検出された点（指示点）に基づき画像３０（移動前画像）が特定されたか否かを判断する（Ｓ１０）。ここで、画像の特定は、指示点が全て単一の画像３０内にあるときには、その画像を特定する処理となる。これに対し、例えば指示点が複数である場合には、指示点の分布によって画像を特定する。すなわち例えば、指示点のうちのいくつかが単一の画像３０にあり、残りが画像３０以外のところにある場合には、いくつかがおかれた単一の画像３０を特定する。また例えば、複数の指示点のいずれも画像３０上にない場合であって且つそれらが単一の画像３０の周りにある場合には、その単一の画像３０を特定する。なお、この処理は、タッチパネル２２の出力信号に基づき図示しないオペレーティングシステムによって特定された指示点に基づき実行される。すなわち、タッチパネル２２上のどの位置が指示されたか否かは、タッチパネル２２に指などが接触または接近した場合に、図示しないオペレーティングシステムによってその代表点を特定する処理によって特定される。このため、Ｓ１０の処理では、オペレーティングシステムから出力される信号に基づき実行される。
【００２９】
そしてＣＰＵ１２は、Ｓ１０においてタッチパネル２２がタッチを検出した指示点の数を検知する処理を行う（Ｓ１２）。この処理は、画像データの出力態様の変更処理のうちのいずれをユーザが指示するかを特定するためのものである。そしてＣＰＵ１２は、指示点の数が「１」であるか否かを判断し（Ｓ１４）、指示点の数が「１」であると判断する場合（Ｓ１４：Ｙｅｓ）、画像３０の入れ替えを行うＲｅｐｌａｃｅ処理を特定（Ｒｅｐｌａｃｅ判定）して（Ｓ１６）、この一連の処理を一旦終了する。これに対しＣＰＵ１２は、指示点の数が「１」ではないと判断する場合（Ｓ１４：Ｎｏ）、指示点の数が「２」であるか否かを判断する（Ｓ１５）。そしてＣＰＵ１２は、「２」であると判断する場合（Ｓ１５：Ｙｅｓ）、レイアウト印刷を行うべく複数の画像３０を１の印刷用紙に印刷する設定処理を特定（Ｍｅｒｇｅ判定）して（Ｓ１８）、この一連の処理を一旦終了する。これに対しＣＰＵ１２は、指示点の数が「２」ではないと判断する場合（Ｓ１５：Ｎｏ）、指示点の数が「３」であるか否かを判断する（Ｓ２０）。そしてＣＰＵ１２は、「３」ではないと判断する場合（Ｓ２０：Ｎｏ）、この一連の処理を一旦終了する。これに対し、ＣＰＵ１２は、「３」であると判断する場合（Ｓ２０：Ｙｅｓ）、特定の画像３０を隣接する一対のプレビュー画像３４の間に挿入するＩｎｓｅｒｔ処理を特定して（Ｓ２２）、この一連の処理を一旦終了する。
【００３０】
図４に、Ｒｅｐｌａｃｅ処理の手順を示す。この処理は、ＣＰＵ１２によって、画像処理プログラム１４ａが例えば所定周期で繰り返し実行されることで実現される。なお、図４には、Ｒｅｐｌａｃｅ処理のうち、特に、ディスプレイパネル２０上に表現される部分、すなわちＲｅｐｌａｃｅ処理に伴ってプレビュー画面の表示形態を変更する処理について記載する。
【００３１】
この一連の処理では、ＣＰＵ１２は、まずＲｅｐｌａｃｅ処理が特定されているか否かを判断する（Ｓ３０）。そしてＣＰＵ１２は、Ｒｅｐｌａｃｅ処理が特定されていないと判断する場合（Ｓ３０：Ｎｏ）、この一連の処理を一旦終了する。これに対しＣＰＵ１２は、Ｒｅｐｌａｃｅ処理が特定されていると判断する場合（Ｓ３０：Ｙｅｓ）、ディスプレイパネル２０に、その旨を表示する（Ｓ３２）。図５（ａ）は、人差し指４０で画像３０ｃがタッチされることで画像３０ｃが特定され、さらに、Ｒｅｐｌａｃｅ処理であることが特定されることで、通知表示２４として「Ｒｅｐｌａｃｅ」がディスプレイパネル２０に表示されていることを示している。
【００３２】
図４のＳ３２の処理を実行すると、ＣＰＵ１２は、タッチパネル２２により入力される指示点情報に基づき、指示点が移動したか否かを判断する（Ｓ３４）。そしてＣＰＵ１２は、指示点が移動したと判断する場合（Ｓ３４：Ｙｅｓ）、移動中である旨をディスプレイパネル２０に表示する（Ｓ３６）。これは、例えば、移動前画像を元の位置に表示した状態で、同画像の輝度を低くしたものを移動する指示点に合わせて表示するものとすればよい。つまり、ＣＰＵ１２は、移動する指示点に対応するディスプレイパネル２０上の位置に、輝度を低くした画像を表示すればよい。続いてＣＰＵ１２は、移動先の画像が特定されたか否かを判断する（Ｓ３８）。ここでは、Ｓ１０の処理において検出されて且つ、Ｓ３４の処理において移動が検出された指示点が、移動先の画像に対応するタッチパネル２２上の領域において検出されなくなる場合に、移動先の画像が特定されたと判断する。この処理は、移動前画像と入れ替え対象となる画像を特定するための処理である。そしてＣＰＵ１２は、移動先の画像が特定されていないと判断する場合（Ｓ３８：Ｎｏ）、この一連の処理を一旦終了する。これに対しＣＰＵ１２は、移動先の画像が特定されたと判断する場合（Ｓ３８：Ｙｅｓ）、図３のＳ１０において特定された画像３０である移動前画像と、Ｓ３８の処理で特定された画像３０である移動先画像とを入れ替えて表示する（Ｓ４０）。そしてＣＰＵ１２は、Ｒｅｐｌａｃｅ判定を解除し（Ｓ４２）、この一連の処理を一旦終了する。
【００３３】
図５（ｂ）は、画像３０ａと画像３０ｃとが入れ替え表示されたところを示している。これは、プリンタにより、画像３０ｃ，３０ｂ，３０ａの順に印刷がなされるよう設定されたことを示す。なお、ここでは、上記Ｓ４２の処理によって、「Ｒｅｐｌａｃｅ」との通知表示２４が消去されている状態が示されている。
【００３４】
一方、ＣＰＵ１２は、指示点の移動が検出されないと判断する場合（Ｓ３４：Ｎｏ）、指示点の数が「０」となったか否かを判断する（Ｓ４６）。そして、ＣＰＵ１２は、指示点の数が「０」となっていないと判断する場合（Ｓ４６：Ｎｏ）、この一連の処理を一旦終了する一方、「０」となっていると判断する場合（Ｓ４６：Ｙｅｓ）、Ｒｅｐｌａｃｅ処理を解除し（Ｓ４２）、この一連の処理を一旦終了する。これにより、「Ｒｅｐｌａｃｅ」との通知表示２４が消去される。
【００３５】
ここで、指示点の数が「０」となることでＲｅｐｌａｃｅ処理を解除するのは、図３の処理によって特定された処理（この場合、Ｒｅｐｌａｃｅ処理）を、ユーザが実際には意図していなかったと考えられるためである。この処理は、図３の処理によってユーザが意図する処理とした判断を訂正するものである。なお、この処理からわかるように、図３の処理によってＲｅｐｌａｃｅ処理が特定されると、移動先画像が特定される前に指示点の数が「０」となることを条件に、Ｒｅｐｌａｃｅ判定が解除される。すなわち、図３の処理によって参照された指示点の数から、指示点の移動時に指示点の数が変化したとしても、「０」にならない限り、Ｒｅｐｌａｃｅ判定が解除されることはない。
【００３６】
図６に、Ｍｅｒｇｅ処理の手順を示す。この処理は、ＣＰＵ１２によって、画像処理プログラム１４ａが例えば所定周期で繰り返し実行されることで実現される。なお、図６には、Ｍｅｒｇｅ処理のうち、特に、ディスプレイパネル２０上に表現される部分、すなわちＭｅｒｇｅ処理に伴ってプレビュー画面の表示形態を変更する処理について記載する。
【００３７】
この一連の処理では、ＣＰＵ１２は、まずＭｅｒｇｅ処理が特定されているか否かを判断する（Ｓ５０）。そしてＣＰＵ１２は、Ｍｅｒｇｅ処理が特定されていないと判断する場合（Ｓ５０：Ｎｏ）、この一連の処理を一旦終了する。これに対しＣＰＵ１２は、Ｍｅｒｇｅ処理が特定されていると判断する場合（Ｓ５０：Ｙｅｓ）、ディスプレイパネル２０に、その旨を表示する（Ｓ５２）。図７（ａ）は、人差し指４０および親指４２で画像３０ｃがタッチされることで画像３０ｃが特定され、さらに、Ｍｅｒｇｅ処理であることが特定されることで、通知表示２４として「Ｍｅｒｇｅ」がディスプレイパネル２０に表示されていることを示している。
【００３８】
図６のＳ５２の処理を実行すると、ＣＰＵ１２は、タッチパネル２２により入力される指示点情報に基づき、指示点が移動したか否かを判断する（Ｓ５４）。そしてＣＰＵ１２は、指示点が移動したと判断する場合（Ｓ５４：Ｙｅｓ）、指示点間距離が拡大または縮小しているか否かを判断する（Ｓ５６）。この処理は、ユーザが、Ｍｅｒｇｅ処理ではなく、プレビュー画像を拡大または縮小する指示をしているか否かを判断するためのものである。すなわち、本実施形態では、２つの指示点間の距離を拡大する（ピンチアウト）操作によって、プレビュー画像を拡大する指示をタッチパネル２２に対して入力可能となっている。また、２つの指示点間の距離を縮小する（ピンチイン）操作によって、プレビュー画像を縮小する指示をタッチパネル２２に対して入力可能となっている。ちなみに、Ｓ５６の処理における判断基準には、ユーザがＭｅｒｇｅ処理を指示するつもりが、指示点間距離がわずかに変化したためにプレビュー画像を拡大または縮小する指示をしていると誤判断しないように、マージンを設けることが望ましい。これは、例えば、拡大量や縮小量が規定値以上である場合に、指示点間距離が拡大または縮小していると判断したり、拡大速度や縮小速度が規定速度以上である場合に、指示点間距離が拡大または縮小していると判断したりすることで実現することができる。
【００３９】
そしてＣＰＵ１２は、指示点間距離が拡大または縮小していないと判断する場合（Ｓ５６：Ｎｏ）、移動中である旨をディスプレイパネル２０に表示する（Ｓ５８）。これは、例えば、移動前画像を元の位置に表示した状態で、同画像の輝度を低くしたものを移動する指示点に合わせて表示するものとすればよい。つまり、ＣＰＵ１２は、移動する指示点に対応するディスプレイパネル２０上の位置に、輝度を低くした画像を表示すればよい。続いてＣＰＵ１２は、移動先の画像が特定されたか否かを判断する（Ｓ６０）。ここでは、Ｓ１０の処理において検出されて且つ、Ｓ５４の処理において移動が検出された指示点が、移動先の画像に対応するタッチパネル２２上の領域において検出されなくなる場合に、移動先の画像が特定されたと判断する。この処理は、移動前画像とともに１枚の印刷用紙に印刷する対象となる画像を特定するための処理である。そしてＣＰＵ１２は、移動先の画像が特定されていないと判断する場合（Ｓ６０：Ｎｏ）、この一連の処理を一旦終了する。これに対しＣＰＵ１２は、移動先の画像が特定されたと判断する場合（Ｓ６０：Ｙｅｓ）、図３のＳ１０において特定された画像３０である移動前画像と、Ｓ６０の処理で特定された画像３０である移動先画像とを１の印刷用紙に印刷する旨を表現すべく、１の用紙オブジェクト３２内にそれら移動前画像および移動先画像を表示する（Ｓ６２）。そして、ＣＰＵ１２は、Ｍｅｒｇｅ判定を解除し（Ｓ６４）、この一連の処理を一旦終了する。
【００４０】
図７（ｂ）は、画像３０ａと画像３０ｃとが１の用紙オブジェクト３２内に表示されたところを示している。なお、ここでは、Ｓ６４の処理によって、「Ｍｅｒｇｅ」との通知表示２４が消去された状態を示している。
【００４１】
一方、ＣＰＵ１２は、指示点の移動中（Ｓ５４：Ｙｅｓ）において指示点間距離が拡大または縮小していると判断する場合（Ｓ５６：Ｙｅｓ）、ピンチアウト処理またはピンチイン処理を実行した後（Ｓ６６）、Ｍｅｒｇｅ判定を解除し（Ｓ６４）、この一連の処理を一旦終了する。これにより、「Ｍｅｒｇｅ」との通知表示２４が消去される。
【００４２】
また、ＣＰＵ１２は、指示点の移動が検出されないと判断する場合（Ｓ５４：Ｎｏ）、指示点の数が「０」となったか否かを判断する（Ｓ６８）。そして、ＣＰＵ１２は、指示点の数が「０」となっていないと判断する場合（Ｓ６８：Ｎｏ）、この一連の処理を一旦終了する一方、「０」となっていると判断する場合（Ｓ６８：Ｙｅｓ）、Ｍｅｒｇｅ処理を解除し（Ｓ６４）、この一連の処理を一旦終了する。これにより、「Ｍｅｒｇｅ」との通知表示２４が消去される。ここで、指示点の数が「０」となることでＭｅｒｇｅ処理を解除するのは、図３の処理によって特定された処理（この場合、Ｍｅｒｇｅ処理）を、ユーザが実際には意図していなかったと考えられるためである。この処理は、図３の処理によってユーザが意図する処理とした判断を訂正するものである。なお、この処理からわかるように、図３の処理によってＭｅｒｇｅ処理が特定されると、移動先画像が特定される前に指示点の数が「０」となるか、ピンチイン操作またはピンチアウト操作がなされることを条件にＭｅｒｇｅ判定が解除される。すなわち、図３の処理によって参照された指示点の数から、指示点の移動時に指示点の数が変化したとしても、上記条件が成立しない限り、Ｍｅｒｇｅ処理が解除されることはない。
【００４３】
図８に、Ｉｎｓｅｒｔ処理の手順を示す。この処理は、ＣＰＵ１２によって、画像処理プログラム１４ａが例えば所定周期で繰り返し実行されることで実現される。なお、図８には、Ｉｎｓｅｒｔ処理のうち、特に、ディスプレイパネル２０上に表現される部分、すなわちＩｎｓｅｒｔ処理に伴ってプレビュー画面の表示形態を変更する処理について記載する。
【００４４】
この一連の処理では、ＣＰＵ１２は、まずＩｎｓｅｒｔ判定がなされているか否かを判断する（Ｓ７０）。そしてＣＰＵ１２は、Ｉｎｓｅｒｔ判定がなされていないと判断する場合（Ｓ７０：Ｎｏ）、この一連の処理を一旦終了する。これに対しＣＰＵ１２は、Ｉｎｓｅｒｔ判定がなされていると判断する場合（Ｓ７０：Ｙｅｓ）、ディスプレイパネル２０に、その旨を表示する（Ｓ７２）。続いてＣＰＵ１２は、挿入可能な箇所を表示する（Ｓ７４）。図９（ａ）は、人差し指４０および中指４４で画像３０ｃがタッチされることで画像３０ｃが特定され、さらに、タッチパネル２２が人差し指４０、中指４４、親指４２でタッチされＩｎｓｅｒｔ処理であることが特定されることで、通知表示２４として「Ｉｎｓｅｒｔ」がディスプレイパネル２０に表示されていることを示している。また、図９（ａ）は、各用紙オブジェクト３２間には、画像３０ｃの挿入可能箇所を示す支援表示５２がディスプレイパネル２０に表示されていることを示している。
【００４５】
図８のＳ７４の処理を実行すると、ＣＰＵ１２は、タッチパネル２２により入力される指示点情報に基づき、指示点が移動したか否かを判断する（Ｓ７６）。そしてＣＰＵ１２は、指示点が移動したと判断する場合（Ｓ７６：Ｙｅｓ）、移動中である旨をディスプレイパネル２０に表示する（Ｓ７８）。これは、例えば、移動前画像を元の位置に表示した状態で、同画像の輝度を低くしたものを移動する指示点に合わせて表示するものとすればよい。つまり、ＣＰＵ１２は、移動する指示点に対応するディスプレイパネル２０上の位置に、輝度を低くした画像を表示すればよい。続いてＣＰＵ１２は、移動先が特定されたか否かを判断する（Ｓ８０）。ここでは、Ｓ１０の処理において検出されて且つ、Ｓ７６の処理において移動が検出された指示点が、上記挿入可能箇所に対応するタッチパネル２２上の領域において検出されなくなる場合に、移動先が特定されたと判断する。この処理は、移動前画像を挿入する位置を特定するための処理である。そしてＣＰＵ１２は、移動先の画像が特定されていないと判断する場合（Ｓ８０：Ｎｏ）、この一連の処理を一旦終了する。これに対しＣＰＵ１２は、移動先の画像が特定されたと判断する場合（Ｓ８０：Ｙｅｓ）、図３のＳ１０において特定された画像３０である移動前画像を、Ｓ８０の処理で特定された移動先に挿入して表示する（Ｓ８２）。そしてＣＰＵ１２は、Ｉｎｓｅｒｔ判定を解除し（Ｓ８４）、この一連の処理を一旦終了する。
【００４６】
図９（ｂ）は、画像３０ａと画像３０ｂとの間に画像３０ｃが挿入されて表示されたところを示している。これは、プリンタによって、画像３０ａ，３０ｃ，３０ｂの順に印刷されることを示すものである。なお、ここでは、Ｓ８４の処理によって、「Ｉｎｓｅｒｔ」との通知表示２４が消去された状態を示している。
【００４７】
一方、ＣＰＵ１２は、指示点の移動が検出されないと判断する場合（Ｓ７６：Ｎｏ）、指示点の数が「０」となったか否かを判断する（Ｓ８６）。そして、ＣＰＵ１２は、指示点の数が「０」となっていないと判断する場合（Ｓ８６：Ｎｏ）、この一連の処理を一旦終了する一方、「０」となっていると判断する場合（Ｓ８６：Ｙｅｓ）、Ｉｎｓｅｒｔ処理を解除し（Ｓ８４）、この一連の処理を一旦終了する。これにより、「Ｉｎｓｅｒｔ」との通知表示２４が消去される。ここで、指示点の数が「０」となることでＩｎｓｅｒｔ処理を解除するのは、図３の処理によって特定された処理（この場合、Ｉｎｓｅｒｔ処理）を、ユーザが実際には意図していなかったと考えられるためである。この処理は、図３の処理によってユーザが意図する処理とした判断を訂正するものである。なお、この処理からわかるように、図３の処理によってＩｎｓｅｒｔ処理が特定されると、この特定された処理は、移動先が特定される前に指示点の数が「０」となることを条件にＩｎｓｅｒｔ判定が解除される。すなわち、図３の処理によって参照された指示点の数から、指示点の移動時に指示点の数が変化したとしても、「０」にならない限り、Ｉｎｓｅｒｔ処理が解除されることはない。
【００４８】
以上説明した本実施形態によれば、以下の効果が得られるようになる。
【００４９】
（１）ＣＰＵ１２は、タッチパネル２２に対する指示点数に基づき、Ｒｅｐｌａｃｅ処理、Ｉｎｓｅｒｔ処理、およびＭｅｒｇｅ処理のいずれであるかを特定した（図３、Ｓ１４〜Ｓ２２）。これにより、ユーザがこれらの処理のいずれかを指示するための操作を簡素化することができる。
【００５０】
（２）ＣＰＵ１２は、Ｒｅｐｌａｃｅ処理、Ｉｎｓｅｒｔ処理、およびＭｅｒｇｅ処理のいずれであるかを特定すると、指示点の移動先が特定されるに先立って、その旨を表示した（通知表示２４）。これにより、特定された処理をユーザに迅速に通知することができる。
【００５１】
（３）ＣＰＵ１２は、Ｉｎｓｅｒｔ処理であると特定すると、指示点の移動先が特定されるに先立って、挿入可能箇所を表示した（図８のＳ７４，支援表示５２）。これにより、Ｉｎｓｅｒｔ処理を行う上で要求される操作をユーザが容易に行うことができる。
【００５２】
（４）ＣＰＵ１２は、Ｒｅｐｌａｃｅ処理、Ｉｎｓｅｒｔ処理、およびＭｅｒｇｅ処理のいずれであるかを特定した後、特定したときに対して指示点の数が変化する場合であっても、指示点の数が「０」よりも大きいことを条件に、特定した処理を実行した（図４、図６、図８）。これにより、指示点の移動完了まで指示点の数を固定する要求をユーザに課すことがないため、操作性を高く維持することができる。
【００５３】
（５）ＣＰＵ１２は、指示点の数が２つである場合、「２ｉｎ１」印刷や「４ｉｎ１」印刷等であるマージ処理であると特定した。これにより、マージ処理を特定するための操作とマージ処理とを直感的に結び付けることができる。
【００５４】
（６）ＣＰＵ１２は、画像３０を特定した時点におけるタッチパネル２２上の指示点の数に基づき、Ｒｅｐｌａｃｅ処理、Ｉｎｓｅｒｔ処理、およびＭｅｒｇｅ処理のいずれであるかを特定した（図３）。これにより、ユーザは、画像を指定する操作と、処理を指定する操作とを１の操作によって実行することができる。
【００５５】
（７）ＣＰＵ１２は、指示点の数が２つでありＭｅｒｇｅ処理であると判断したのち、ピンチイン操作、ピンチアウト操作がなされることで、Ｍｅｒｇｅ処理を解除した（図６のＳ６４）。これにより、特定した処理が、ユーザの意図するものではない場合、これを改めることができるという効果を奏する。
【００５６】
＜第２の実施形態＞
以下、第２の実施形態について、先の第１の実施形態との相違点を中心に図面を参照しつつ説明する。
【００５７】
本実施形態では、Ｍｅｒｇｅ処理において、１の印刷用紙に２個の画像３０を印刷する「２ｉｎ１」印刷と、４個の画像を印刷する「４ｉｎ１」印刷とを、タッチパネル２２上の指示点の数に応じて判断する。
【００５８】
図１０は、画像３０ｃ上に人差し指４０および親指４２が触れることで、画像３０ｃが特定されるとともに、「２ｉｎ１」印刷であることが特定される例である。この場合、通知表示２４として、「２ｉｎ１」が表示される。
【００５９】
図１１（ａ）は、画像３０ｃ上に人差し指４０、中指４４および薬指４６が触れて且つ、タッチパネル２２上の画像３０表示領域以外の領域に親指４２を触れることで、画像３０ｃが特定されるとともに、「４ｉｎ１」印刷であることが特定される例である。この場合、通知表示２４として、「４ｉｎ１」が表示される。これにより、例えば画像３０ｃが画像３０ａを含む用紙オブジェクト３２内に移動された場合、その用紙オブジェクト３２内にあと２個の画像３０が入れられることが予め決定される。なお、図１１（ｂ）に、画像３０ａを含む用紙オブジェクト３２内に、画像３０ｃが移動した状態を示す。ここでは、画像３０ａを含む用紙オブジェクト３２内にあと２個の画像が取り込まれることを示すべく、それらの収容スペースが空けられている。
【００６０】
＜実施形態と手段との対応＞
表示部…ディスプレイパネル２０、タッチパネル…タッチパネル２２、画像処理装置…タブレット端末１０、コンピュータ…ＣＰＵ１２、第１表示手段…図２，５，７，８，９、形態変更手段…Ｓ４０，Ｓ６２，Ｓ８２、画像特定手段…Ｓ１０、カウント手段…Ｓ１２、処理特定手段…Ｓ１４〜Ｓ２２、第２表示手段…Ｓ３２，Ｓ５２，Ｓ７２，Ｓ７４、所定数特定手段…図１０、判断手段…Ｓ５６、キャンセル手段…Ｓ６６に引き続くＳ６４
＜その他の実施形態＞
以上、上記実施形態に基づき本発明を説明したが、本発明は上記形態に何ら限定されるものではなく、本発明の趣旨を逸脱しない範囲内で種々の変形改良が可能であることは容易に推察できるものである。各実施形態は、それぞれ、他の実施形態が有する構成の一部または複数部分を、その実施形態に追加し或いはその実施形態の構成の一部または複数部分と交換等することにより、その実施形態を変形して構成するようにしてもよい。以下、上記実施形態の変形例としての実施形態を記載する。
【００６１】
画像特定手段としては、上記実施形態で例示したように、指示点の中に画像に触れていないものがあったとしても、指示点の分布に基づき画像を特定するものに限らず、指示点のすべてが画像内にあることに基づき画像を特定するものであってもよい。
【００６２】
図３のＳ１２の処理では、ＣＰＵ１２がタッチパネル２２上の指示点の数をカウントしたが、これに限らず、タッチパネル２２上であって且つ画像上の指示点の数のみをカウントするものであってもよい。
【００６３】
処理を特定するための入力となる指示点の数としては、移動前画像が特定されるタイミングにおけるものに限らない。例えば、移動前画像の特定後であって且つ指示点の移動前における指示点の数であってもよい。また、例えば、ＣＰＵ１２は、始めにタッチパネル２２上に複数の指示点が検出される場合に、その指示点の数を入力として処理を特定し、その後、移動前画像を特定する処理を行ってもよい。
【００６４】
上記実施形態では、ＣＰＵ１２は、指示点が、移動先の画像に対応するタッチパネル２２上の領域において検出されなくなることで、移動先が特定されたと判断したが、これに限らない。例えば、ＣＰＵ１２は、指示点が停止したり、移動速度が規定速度以下に低下したりすることで、移動先が特定されたと判断してもよい。
【００６５】
上記実施形態では、特定された処理がいずれであるかを通知すべく、「Ｒｅｐｌａｃｅ」、「Ｍｅｒｇｅ」、「Ｉｎｓｅｒｔ」というように、文字を表示したがこれに限らない。例えば、それぞれの処理をイメージした図柄を表示してもよい。
【００６６】
特定された処理を支援する表示としては、Ｉｎｓｅｒｔ処理によって用いられるものに限らない。例えば、Ｍｅｒｇｅ処理を、特定される画像を所定領域内に移動させることでそれらを１の印刷用紙に印刷することとしてその旨を表示するものであるなら、Ｍｅｒｇｅ処理と特定された段階（図３のＳ１８）で、所定領域を表示するものであってもよい。
【００６７】
Ｒｅｐｌａｃｅ処理、Ｍｅｒｇｅ処理、およびＩｎｓｅｒｔ処理のそれぞれに割り振られる指示点数としては、上記実施形態で例示したものに限らない。例えば、指示点数が「２」である場合に、Ｒｅｐｌａｃｅ処理であるとしてもよい。特にこの場合、例えば１の指示点と別の１の指示点とが各別の画像３０を指示する場合に、Ｒｅｐｌａｃｅ処理と特定してもよい。この場合、例えば画像３０表示領域以外の領域で双方の指示点を合わせることで、Ｒｅｐｌａｃｅ処理を実行してもよい。また、この場合、指示点数が「１」である場合に、Ｍｅｒｇｅ処理であると特定してもよい。
【００６８】
複数の画像の表示形態を変更する処理としては、Ｒｅｐｌａｃｅ処理、Ｍｅｒｇｅ処理、およびＩｎｓｅｒｔ処理に限らない。例えば、指定される画像を複数の画像を含むファイルの先頭にした旨を表示するものであってもよい。すなわち例えば、ファイルの先頭画像から順に、ディスプレイパネル２０の右側から並べて表示する場合、画像を指定することで、その後、指示点を移動させることなく、指定された画像をディスプレイパネルの右端に表示するものとしてもよい。この場合、画像を指定する際に、ファイルの先頭の画像がディスプレイパネル２０に表示されておらず、タッチパネル２２をフリックすることで表示される場合であっても、上記処理によってファイルの先頭に移動させた旨を表示する際には、ファイルの先頭部分がディスプレイパネル２０の右端になるように、表示される画像全体を変更することが望ましい。
【００６９】
印刷プレビュー画面に表示される複数の画像としては、同一ファイル内の画像に限らない。例えば、複数ページからなる文書ファイルや、同一のフォルダ内の画像であってもよい。
【００７０】
表示形態を変更する処理としては、ディスプレイパネル２０に表示されるレイアウトを変更するものに限らない。例えば、「２ｉｎ１」印刷がなされる表示をする場合、対象となる画像がペアである旨をレイアウト変更とは別に表示するものであってもよい。すなわち、例えば図７（ｂ）において、画像３０ａと画像３０ｃとの配置を図７（ａ）から変更することなく、これら各画像３０ａ，３０ｃが配置される用紙オブジェクト３２の色を同一の色とするなどして１の印刷用紙に印刷されることを示すものであってもよい。
【００７１】
表示形態を変更する処理としては、外部装置への出力態様を変更することを示すべく表示態様を変更するものに限らない。例えば、ディスプレイパネル２０に表示されるレイアウトを変更するものであって且つ、その変更が外部装置への出力態様の変更を意味しないものであってもよい。この場合であっても、例えば複数の画像データを含む画像群データにおいて各画像データの順番を変更する等、複数の画像データの編集結果をディスプレイパネル２０の表示形態の変更として示すものであってもよい。もっとも、これも必須ではなく、単に、ディスプレイパネル２０に表示されるレイアウトを変更するのみであってもよい。
【００７２】
画面の拡大または縮小処理としては、ユーザが２個の指示点間の距離を拡大したり縮小したりすることで指示されるものに限らず、例えば３個の指示点間の距離を拡大したり縮小したりすることで指示されるものであってもよい。この場合、図８の処理において、ＣＰＵ１２は、拡大または縮小処理が意図されているか否かを判断し、意図されていると判断する場合、Ｉｎｓｅｒｔ処理を解除すればよい。
【００７３】
図３、図４、図６、図８に示した処理を画像処理プログラム１４ａによって、ＣＰＵ１２に実行させる代わりに、ＡＳＩＣ等、ハードウェア手段によって実行してもよい。
【００７４】
画像処理装置としては、タブレット端末に限らず、例えば携帯電話であってもよい。
【符号の説明】
【００７５】
１０…タブレット端末、１２…ＣＰＵ，１４ａ…画像処理プログラム。
【図１】
2015026096.tif 000003
【図２】
2015026096.tif 000004
【図３】
2015026096.tif 000005
【図４】
2015026096.tif 000006
【図５】
2015026096.tif 000007
【図６】
2015026096.tif 000008
【図７】
2015026096.tif 000009
【図８】
2015026096.tif 000010
【図９】
2015026096.tif 000011
【図１０】
2015026096.tif 000012
【図１１】
2015026096.tif 000013